(57)【特許請求の範囲】
【請求項１】
蓄電素子の状態を含む情報を所定時間間隔で通信により取得する取得部と、
取得した情報を、前記蓄電素子を識別する情報と対応付けて記憶媒体に記憶する記憶処理部と、
前記蓄電素子を含むシステムの画像と、前記蓄電素子の状態を示すグラフィックと、を含む状態画面の画面情報を通信端末装置に送信する送信処理部と、
前記記憶媒体に記憶してある最新情報に基づいて前記グラフィックの情報を更新し定期的に前記通信端末装置に送信する自動モニタ部と
を備え、
前記グラフィックは、前記蓄電素子を含むシステムの画像における前記蓄電素子が写っている位置又は描かれている位置に重畳されて、前記蓄電素子のセル又はモジュール又はバンク又は複数のバンクの状態を示す第一グラフィックを含む、情報処理装置。
【請求項２】
前記第一グラフィックは、前記蓄電素子のセル又はモジュール又はバンク又は複数のバンクの、電圧、電流及び温度の少なくともいずれかの状態を示す
請求項１に記載の情報処理装置。
【請求項３】
前記状態画面は、前記第一グラフィックにより状態表示される対象を、電圧、電流又は温度から選択させる切替インタフェースを含む
請求項２に記載の情報処理装置。
【請求項４】
前記グラフィックの表示位置は、前記システムの画像に対する相対位置によって前記システムの画像に対応付けられている
請求項１から請求項３のいずれか１項に記載の情報処理装置。
【請求項５】
前記画面情報は、前記蓄電素子の階層構造に応じて全体から一部へ、一部から更に詳細な一部へと遷移するように構成されている
請求項１から請求項４のいずれか１項に記載の情報処理装置。
【請求項６】
前記画面情報は、表示する前記蓄電素子の範囲が階層的に異なる複数の状態画面に対応して作成され、
前記グラフィックは、当該グラフィックにより状態を示す前記蓄電素子の範囲が、一の状態画面と他の状態画面とで異なる
請求項１から請求項５のいずれか１項に記載の情報処理装置。
【請求項７】
前記グラフィックは、前記蓄電素子のバンク又は複数のバンクの充電状態を示す第二グラフィックを含み、
前記第二グラフィックは、当該グラフィックにより充電状態を示す前記蓄電素子の範囲が、一の状態画面と他の状態画面とで異なる
請求項１から請求項５のいずれか１項に記載の情報処理装置。
【請求項８】
前記第二グラフィックによる充電状態は、前記蓄電素子に接続されたパワーコンディショナから出力される充電状態に整合させてある
請求項７に記載の情報処理装置。
【請求項９】
前記グラフィックは、システム全体の健康状態を示す第三グラフィックを含み、前記第三グラフィックは、左側が古いデータ、右側が最新データを示すトレンドグラフを含む
請求項１から請求項８のいずれか１項に記載の情報処理装置。
【請求項１０】
蓄電素子に接続、又は搭載されている複数の通信デバイスと、
該複数の通信デバイスと通信接続が可能な情報処理装置と
を含む情報処理システムであって、
前記情報処理装置は、
前記蓄電素子の状態を含む情報を所定時間間隔で通信により取得する取得部と、
取得した情報を、前記蓄電素子を識別する情報と対応付けて記憶媒体に記憶する記憶処理部と、
前記蓄電素子を含むシステムの画像と、前記蓄電素子の状態を示すグラフィックと、を含む状態画面の画面情報を通信端末装置に送信する送信処理部と、
前記記憶媒体に記憶してある最新情報に基づいて前記グラフィックの情報を更新し定期的に前記通信端末装置に送信する自動モニタ部とを備え、
前記グラフィックは、前記蓄電素子を含むシステムの画像における前記蓄電素子が写っている位置又は描かれている位置に重畳されて、前記蓄電素子のセル又はモジュール又はバンク又は複数のバンクの状態を示す第一グラフィックを含む、情報処理システム。
【請求項１１】
蓄電素子の情報を、情報処理装置が要求に応じて、又はイベントとして、送信する情報処理方法であって、
前記蓄電素子に接続又は搭載されている通信デバイスを用いて、前記蓄電素子の状態を含む情報を通信により取得し、
取得した情報を、前記蓄電素子を識別する情報と対応付けて記憶媒体に記憶し、
前記蓄電素子を含むシステムの画像と、前記蓄電素子を含むシステムの画像における前記蓄電素子が写っている位置又は描かれている位置に重畳されて、前記蓄電素子のセル又はモジュール又はバンク又は複数のバンクの状態を示す第一グラフィックを含む前記蓄電素子の状態を示すグラフィックと、を含む状態画面の画面情報を通信端末装置に送信し、
前記記憶媒体に記憶してある最新情報に基づいて前記グラフィックの情報を更新し定期的に前記通信端末装置に送信する
情報処理方法。
【請求項１２】
表示部を備えるコンピュータに、蓄電素子の情報を表示させるコンピュータプログラムであって、
前記コンピュータに、
前記蓄電素子の情報を、該蓄電素子を含むシステム毎、又は前記蓄電素子が設置されている場所毎に、要求するステップ、
要求に応じて送信された、前記蓄電素子を含むシステムの画像と、前記蓄電素子を含むシステムの画像における前記蓄電素子が写っている位置又は描かれている位置に重畳されて、前記蓄電素子のセル又はモジュール又はバンク又は複数のバンクの状態を示す第一グラフィックを含む前記蓄電素子の状態を示すグラフィックと、を含む状態画面の画面情報に基づき、前記状態画面を前記表示部に表示するステップ、及び
定期的に送信される更新された前記グラフィックの情報に基づき、更新された前記状態画面を前記表示部に表示するステップ
を実行させるコンピュータプログラム。
【発明の詳細な説明】
【技術分野】
【０００１】
本発明は、蓄電素子の情報を提示する情報処理装置、情報処理システム、情報処理方法及びコンピュータプログラムに関する。
【背景技術】
【０００２】
再生可能エネルギー又は既存の発電システムにて発電された電力を蓄電しておく大規模なシステムでの蓄電素子の利用が拡大している。【０００３】
蓄電素子を使用したシステムでは、蓄電素子の状態診断の実施、充電状態（ＳＯＣ）の推定、寿命予測の実施等を含む保守活動が重要になる。これらのシステムに含まれる蓄電素子のＳＯＣ、又は寿命予測の情報について、サーバ装置経由で、蓄電素子のユーザ又は保守担当者が遠隔から取得することを可能とする技術が提案されている。
【先行技術文献】
【特許文献】
【０００４】
【特許文献１】特開２０１５−１２１５２０号公報
【発明の概要】
【発明が解決しようとする課題】
【０００５】
鉛蓄電池又はリチウムイオン電池のような蓄電素子は、車載用途（自動車用途、自動二輪車用途）以外の産業用途に適用される場面が増加している。例えば、太陽光発電システムや風力発電システムに蓄電素子が並設されることがある。大規模な発電システムでは、非常に多くの蓄電素子が設置されて利用される。工場又は大規模施設における電力ピークカットを実現する場合にも、非常に多くの蓄電素子が設置されて利用される。従来の保守支援システムでは、分散電源システム又は事業主体にこのように多くの蓄電素子が設置されるケースを想定していない。【０００６】
大規模ＥＳＳ（Energy Storage System）では、監視対象の蓄電セルの数が膨大であり、ＥＳＳで現在起きている最新の事象を、いかに分かり易く提示するかという点において、改善の余地があった。【０００７】
本発明は、蓄電素子の状態を視覚的に容易に把握することを可能とする情報処理装置、情報処理システム、情報処理方法及びコンピュータプログラムを提供することを目的とする。
【課題を解決するための手段】
【０００８】
本発明の一態様に係る情報処理装置は、蓄電素子の状態を含む情報を所定時間間隔で通信により取得する取得部と、取得した情報を、前記蓄電素子を識別する情報と対応付けて記憶媒体に記憶する記憶処理部と、前記蓄電素子を含むシステムの画像と、前記蓄電素子の状態を示すグラフィックと、を含む状態画面の画面情報を通信端末装置に送信する送信処理部と、前記記憶媒体に記憶してある最新情報に基づいて前記グラフィックの情報を更新し定期的に前記通信端末装置に送信する自動モニタ部と、を備える。
【図面の簡単な説明】
【０００９】
【図１】遠隔監視システムの概要を示す図である。
【図２】蓄電モジュール群の階層構造及び通信デバイスの接続形態の一例を示す図である。
【図３】遠隔監視システムに含まれる装置の内部構成を示すブロック図である。
【図４】サーバ装置における情報提示の処理手順の一例を示すフローチャートである。
【図５】サーバ装置からクライアント装置への情報提示の処理手順の一例を示すフローチャートである。
【図６】サーバ装置からクライアント装置への情報提示の処理手順の一例を示すフローチャートである。
【図７】自動モニタ部の機能を説明する図である。
【図８】画面情報に基づき表示される画面の例を示す図である。
【図９】画面情報に基づき表示される画面の例を示す図である。
【図１０】画面情報に基づき表示される画面の例を示す図である。
【図１１】画面情報に基づき表示される画面の例を示す図である。
【図１２】画面情報に基づき表示される画面の例を示す図である。
【図１３】画面情報に基づき表示される画面の例を示す図である。
【図１４】画面情報に基づき表示される画面の例を示す図である。
【図１５】画面情報に基づき表示される画面の例を示す図である。
【図１６】画面情報に基づき表示される画面の例を示す図である。
【発明を実施するための形態】
【００１０】
情報処理装置は、蓄電素子の状態を含む情報を所定時間間隔で通信により取得する取得部と、取得した情報を、前記蓄電素子を識別する情報と対応付けて記憶媒体に記憶する記憶処理部と、前記蓄電素子を含むシステムの画像と、前記蓄電素子の状態を示すグラフィックと、を含む状態画面の画面情報を通信端末装置に送信する送信処理部と、前記記憶媒体に記憶してある最新情報に基づいて前記グラフィックの情報を更新し定期的に前記通信端末装置に送信する自動モニタ部と、を備える。
ここで、「最新情報」とは、取得部が通信により取得した情報の中で最も新しい情報（最後の取得タイミングに取得した情報）であってもよいし、新しい情報のいくつかを加工して（例えば平均して、又は比較して）生成した情報であってもよい。
【００１１】
前記蓄電素子は、複数の蓄電セル又はモジュール又はバンク（ストリング）を含んで構成されてもよい。
前記自動モニタ部は、前記情報処理装置で実行されるＷｅｂアプリケーションソフトウェアを含んでもよい。
上記構成により、オペレータは、蓄電素子の最新の状態をほぼリアルタイムに、視覚的に容易に把握できる。
【００１２】
前記画面情報は、表示する前記蓄電素子の範囲が異なる複数の状態画面に対応して作成されてもよく、前記グラフィックは、当該グラフィックにより状態を示す前記蓄電素子の範囲が、一の状態画面と他の状態画面とで異なってもよい。
前記画面情報は、同一の階層の蓄電素子を複数の範囲に分割した状態画面に対応して作成されてもよい。
前記画面情報は、表示する前記蓄電素子の範囲が階層的に異なる複数の状態画面に対応して作成され、前記グラフィックは、当該グラフィックにより状態を示す前記蓄電素子の範囲が、一の状態画面と他の状態画面とで異なってもよい。すなわち、上位の階層の（第一範囲の）蓄電素子が表示部の一画面に表示される状態画面と、下位の階層の（第一範囲に含まれる第一範囲より狭い第二範囲の）蓄電素子が表示部の一画面に表示される状態画面とで、蓄電素子の状態を示すグラフィックが異なってもよい。
【００１３】
従来、監視対象の機器に異常が生じたり保守が必要な状態になったりしたときに、機器のユーザや管理者に電子メールが届くシステムが、様々な分野で用いられている。
様々な分野・機器の中で、リチウムイオン電池のような蓄電素子により構成される蓄電システムは、監視対象（蓄電セル又はモジュール又はバンク）の数が、突出して多い。そのため、大規模ＥＳＳについて、従来のシステムのように一部の蓄電セルの異常を知らせる／保守の必要性を知らせる電子メールが届いても、ＥＳＳ全体の状況を把握したり、どのような処置がどの程度の至急度で必要かを判断したりすることは困難である。大規模ＥＳＳでは、多くの場合、一部の蓄電セルに異常があったとしても、ＥＳＳ全体として支障なく運用される。大規模ＥＳＳでは、全体に影響しない程度の異常の有無、全体に影響する程度の異常の有無は異なる判断基準で管理されることが望ましい。
上述の構成により、情報処理装置から、更新されたグラフィックが逐次送信されることで、非常に多くの蓄電素子を含むシステムの状態を、オペレータはほぼリアルタイムに、視覚から直感的に把握できる。状態画面は、ＥＳＳの階層構造に応じて全体から一部へ、一部から更に詳細な一部へと遷移するようにしてあってもよい。オペレータは、各蓄電セル又はモジュール又はバンクの状態を１つずつ、例えばＳＯＣを夫々チェックする必要なしに、状態画面から、ＥＳＳ全体の状況を視覚的に確認できる。これによりシステムのユーザに対して、システムの信頼性を高めることができる。蓄電素子に問題が発生した場合にオペレータは、システムのいずれの場所でどのような処置が適切かを視覚的に把握できる。したがって保守担当者がいずれの場所の蓄電素子を保守点検すべきか、迷う可能性を低くでき、保守担当者による対処を効率化させることができる。
【００１４】
前記グラフィックは、前記蓄電素子の状態に対応する色、形、又はイラストを含んでもよい。
前記グラフィックは、前記蓄電素子を含むシステムの画像における前記蓄電素子が写っている位置又は描かれている位置に重畳されて、蓄電セル又はモジュール又はバンク又は複数のバンクの状態を示す第一グラフィックを含んでもよい。
前記第一グラフィックは、前記蓄電セル又はモジュール又はバンク又は複数のバンクの、電圧、電流及び温度の少なくともいずれかの状態を示してもよい。
【００１５】
上記構成により、オペレータは、各蓄電セル／モジュール／バンクの状態を１つずつチェックする必要なしに、グラフィックの色、形、又はイラストによって状態画面から蓄電システム全体の、又は任意の範囲の蓄電素子について、状態を視覚的に確認できる。これによりシステムのユーザに対して、システムの信頼性を高めることができる。第一グラフィックの、システム画像に対する重畳位置及びグラフィックの態様によって、蓄電素子のいずれの場所で、どのような問題（どの程度の問題）が発生しているかをオペレータが早急に把握でき、保守担当者による対処を効率化させることができる。
【００１６】
前記グラフィックは、前記蓄電素子のＳＯＣを示す第二グラフィックを含んでもよい。
前記第二グラフィックによるＳＯＣは、前記蓄電素子に接続されたパワーコンディショナから出力されるＳＯＣに整合させてあってもよい。
【００１７】
上記構成により、蓄電素子の充電状態を視覚的に容易に把握することができる。システムのユーザに対してシステムの信頼性を高めることができる。
【００１８】
情報処理システムは、蓄電素子に接続、又は搭載されている通信デバイスと、該複数の通信デバイスと通信接続が可能な情報処理装置とを含み、該情報処理装置は、前記蓄電素子の状態を含む情報を所定時間間隔で通信により取得する取得部と、取得した情報を、前記蓄電素子を識別する情報と対応付けて記憶媒体に記憶する記憶処理部と、前記蓄電素子を含むシステムの画像と、前記蓄電素子の状態を示すグラフィックと、を含む状態画面の画面情報を通信端末装置に送信する送信処理部と、前記記憶媒体に記憶してある最新情報に基づいて前記グラフィックを更新し定期的に前記通信端末装置に送信する自動モニタ部とを備える。
【００１９】
情報処理方法は、蓄電素子の情報を、情報処理装置が要求に応じて、又はイベントとして、送信する。情報処理方法は、前記蓄電素子に接続又は搭載されている複数の通信デバイスを用いて、前記蓄電素子の状態を含む情報を通信により取得し、取得した情報を、前記蓄電素子を識別する情報と対応付けて記憶媒体に記憶し、前記蓄電素子を含むシステムの画像と、前記蓄電素子の状態を示すグラフィックと、を含む状態画面の画面情報を通信端末装置に送信し、前記記憶媒体に記憶してある最新情報に基づいて前記グラフィックを更新し定期的に前記通信端末装置に送信する、ステップを含む。
【００２０】
コンピュータプログラムは、表示部を備えるコンピュータに、蓄電素子の情報を表示させる。コンピュータプログラムは、前記コンピュータに、前記蓄電素子の情報を、該蓄電素子を含むシステム毎、又は前記蓄電素子が設置されている場所毎に、要求するステップ、要求に応じて送信された、前記蓄電素子を含むシステムの画像と、前記蓄電素子の状態を示すグラフィックと、を含む状態画面の画面情報に基づき、前記状態画面を前記表示部に表示するステップ、及び、定期的に送信される更新された前記グラフィックの情報に基づき、更新された前記状態画面を前記表示部に表示するステップを実行させる。
【００２１】
本発明をその実施の形態を示す図面を参照して具体的に説明する。
【００２２】
図１は、遠隔監視システム１００の概要を示す図である。遠隔監視システム１００は、メガソーラー発電システムＳ、火力発電システムＦ、風力発電システムＷに含まれる蓄電素子及び電源関連装置に関する情報への遠隔からのアクセスを可能とする。無停電電源装置（ＵＰＳ）Ｕ、鉄道用の安定化電源システム等に配設される整流器（直流電源装置、又は交流電源装置）Ｄが遠隔監視されてもよい。
【００２３】
メガソーラー発電システムＳ、火力発電システムＦ及び風力発電システムＷには、パワーコンディショナ（ＰＣＳ：Power Conditioning System）Ｐ及び蓄電システム１０１が並設されている。蓄電システム１０１は、蓄電モジュール群Ｌを収容したコンテナＣを複数並設して構成されていてもよい。代替的に、蓄電モジュール群Ｌ及びパワーコンディショナＰは、建物（蓄電室）内に配置されてもよい。蓄電モジュール群Ｌは、複数の蓄電素子を含む。蓄電素子は、鉛蓄電池及びリチウムイオン電池のような二次電池や、キャパシタのような、再充電可能なものであることが好ましい。蓄電素子の一部が、再充電不可能な一次電池であってもよい。
【００２４】
遠隔監視システム１００では、監視対象となるシステムＳ，Ｆ，Ｗにおける蓄電システム１０１、又は装置（Ｐ，Ｕ，Ｄおよび後述の管理装置Ｍ）夫々に、通信デバイス１（図２参照）が搭載／接続される。遠隔監視システム１００は、通信デバイス１と、通信デバイス１から情報を収集するサーバ装置２（情報処理装置）と、収集された情報を閲覧するためのクライアント装置３（通信端末装置）と、装置間の通信媒体であるネットワークＮとを含む。
【００２５】
通信デバイス１は、蓄電素子に備えられる電池管理装置（ＢＭＵ）と通信して蓄電素子の情報を受信する端末装置（計測モニタ）であってもよいし、ECHONET／ECHONETLite（登録商標）対応のコントローラであってもよい。通信デバイス１は、独立したデバイスであってもよいし、パワーコンディショナＰや蓄電モジュール群Ｌに搭載可能なネットワークカード型のデバイスであってもよい。通信デバイス１は、蓄電システム１０１における蓄電モジュール群Ｌの情報を取得すべく、複数の蓄電モジュールからなるグループ毎に１つずつ設けられている。パワーコンディショナＰは複数台でシリアル通信が可能に接続されており、通信デバイス１は、いずれか代表となるパワーコンディショナＰの制御ユニットに接続されている。
【００２６】
サーバ装置２はＷｅｂサーバ機能を含み、監視対象の各装置に搭載／接続された通信デバイス１から得られる情報を、クライアント装置３からのアクセスに応じて提示する。
【００２７】
ネットワークＮは、所謂インターネットである公衆通信網Ｎ１と、所定の移動通信規格による無線通信を実現するキャリアネットワークＮ２とを含む。公衆通信網Ｎ１は、一般光回線を含み、ネットワークＮは、サーバ装置２が接続する専用線を含む。ネットワークＮは、ECHONET／ECHONETLite対応のネットワークを含んでもよい。キャリアネットワークＮ２には基地局ＢＳが含まれ、クライアント装置３は基地局ＢＳからネットワークＮを介したサーバ装置２との通信が可能である。公衆通信網Ｎ１にはアクセスポイントＡＰが接続されており、クライアント装置３はアクセスポイントＡＰからネットワークＮを介してサーバ装置２との間で情報を送受信することができる。
【００２８】
蓄電システム１０１の蓄電モジュール群Ｌは階層構造を有している。蓄電素子の情報をサーバ装置２へ送信する通信デバイス１は、蓄電モジュール群Ｌに設けられた管理装置Ｍから蓄電モジュール群の情報を取得する。図２は、蓄電モジュール群Ｌの階層構造及び通信デバイス１の接続形態の一例を示す図である。蓄電モジュール群Ｌは、例えば蓄電セル（セルとも称する）を複数直列に接続した蓄電モジュール（モジュールとも称する）と、蓄電モジュールを複数直列に接続したバンクと、バンクを複数並列に接続したドメインとの階層構造にて構成されている。図２の例では、番号（＃）１〜Ｎのバンク夫々と、バンクを並列に接続したドメインとに１つずつ、管理装置Ｍが設けられている。バンク毎に設けられている管理装置Ｍは、蓄電モジュールの内部に夫々内蔵されている通信機能付きの制御基板（ＣＭＵ：Cell Monitoring Unit）とシリアル通信によって通信し、蓄電モジュール内部の蓄電セルに対する測定データ（電流、電圧、温度）を取得する。バンクの管理装置Ｍは、通信状態の異常の検知等の管理処理を実行する。バンクの管理装置Ｍは夫々、ドメインに設けられている管理装置Ｍへ各々のバンクの蓄電モジュールから得られた測定データを送信する。ドメインの管理装置Ｍは、そのドメインに所属するバンクの管理装置Ｍから得られる測定データ、検知された異常等の情報を集約する。図２の例では通信デバイス１は、ドメインの管理装置Ｍに接続されている。代替的に、通信デバイス１は、ドメインの管理装置Ｍとバンクの管理装置Ｍとの夫々に接続されていてもよい。
【００２９】
以下で説明する蓄電システム１０１は、図２に示したバンクを並列接続したドメインを複数含む大規模なＥＳＳとして構成される。管理装置Ｍは、自機が接続されている装置のドメイン、又はバンクの識別データ（識別番号）を取得することが可能である。
【００３０】
遠隔監視システム１００では、各装置に搭載させた通信デバイス１を利用し、蓄電システム１０１におけるＳＯＣ、ＳＯＨ（State Of Health）等の状態、検知された異常といった情報を、サーバ装置２が収集し、収集されたデータに基づいて蓄電システム１０１の状態を提示する。
【００３１】
図３は、遠隔監視システム１００に含まれる装置の内部構成を示すブロック図である。図３に示すように、通信デバイス１は、制御部１０、記憶部１１、第１通信部１２及び第２通信部１３を備える。制御部１０はＣＰＵ（Central Processing Unit）を用いたプロセッサであり、内蔵するＲＯＭ（Read Only Memory）及びＲＡＭ（Random Access Memory）等のメモリを用い、各構成部を制御して処理を実行する。
【００３２】
記憶部１１は、フラッシュメモリ等の不揮発性メモリを用いる。記憶部１１には、制御部１０が読み出して実行するデバイスプログラム１Ｐが記憶されている。デバイスプログラム１Ｐには、ＳＳＨ（Secure Shell）、ＳＮＭＰ（Simple Network Management Protocol）等に準じた通信用プログラムが含まれる。記憶部１１には、制御部１０の処理によって収集された情報、イベントログ等の情報が記憶される。記憶部１１に記憶された情報は、通信デバイス１の筐体に端子が露出するＵＳＢ等の通信インタフェースを介して読み出すことも可能である。記憶部１１に記憶されるデバイスプログラム１Ｐは、記録媒体４に記憶してあるデバイスプログラム４Ｐを読み出して記憶部１１に複製したものであってもよい。
【００３３】
第１通信部１２は、通信デバイス１が接続されている監視対象装置との通信を実現する通信インタフェースである。第１通信部１２は例えば、ＲＳ−２３２Ｃ又はＲＳ−４８５等のシリアル通信インタフェースを用いる。例えばパワーコンディショナＰはＲＳ−４８５に準拠したシリアル通信機能を有する制御ユニットを備えており、第１通信部１２はその制御ユニットと通信する。蓄電モジュール群Ｌに備えられている制御基板がＣＡＮ（Controller Area Network）バスにより接続されて制御基板間の通信をＣＡＮ通信で実現する場合、第１通信部１２はＣＡＮプロトコルに基づく通信インタフェースである。第１通信部１２は、ECHONET／ECHONETLiteの規格に対応する通信インタフェースであってもよい。
【００３４】
第２通信部１３は、ネットワークＮを介した通信を実現するインタフェースであり、例えばEthernet（登録商標）、又は無線通信用アンテナ等の通信インタフェースを用いる。制御部１０は、第２通信部１３を介してサーバ装置２と通信接続が可能である。第２通信部１３が、ECHONET／ECHONETLiteの規格に対応する通信インタフェースであってもよい。
【００３５】
このように構成される通信デバイス１では、制御部１０が第１通信部１２を介して、通信デバイス１が接続されている装置にて得られる蓄電素子に対する測定データを取得する。制御部１０は、ＳＮＭＰ用プログラムを読み出して実行することにより、ＳＮＭＰエージェントとして機能し、サーバ装置２からの情報要求に対して応答してもよい。
【００３６】
サーバ装置２はサーバコンピュータを用い、制御部２０、記憶部２１、及び通信部２２を備える。本実施の形態においてサーバ装置２は、１台のサーバコンピュータとして説明するが、複数のサーバコンピュータで処理を分散させてもよい。
【００３７】
制御部２０は、ＣＰＵ又はＧＰＵ（Graphics Processing Unit）を用いたプロセッサであり、内蔵するＲＯＭ及びＲＡＭ等のメモリを用い、各構成部を制御して処理を実行する。制御部２０は、記憶部２１に記憶されているサーバプログラム２１Ｐに基づく通信及び情報処理を実行する。サーバプログラム２１ＰにはＷｅｂサーバプログラムが含まれ、制御部２０は、クライアント装置３へのＷｅｂページの提供を実行するＷｅｂサーバとして機能する。制御部２０は、サーバプログラム２１Ｐに基づき、ＳＮＭＰ用サーバとして通信デバイス１から情報を収集する。
【００３８】
記憶部２１は、例えばハードディスク又はフラッシュメモリ等の不揮発性メモリを用いる。記憶部２１には、上述したサーバプログラム２１Ｐ及びデータ処理プログラム２２Ｐが記憶されている。記憶部２１に記憶されるサーバプログラム２１Ｐ及びデータ処理プログラム２２Ｐは、記録媒体５に記憶してあるサーバプログラム５１Ｐ及びデータ処理プログラム５２Ｐを読み出して記憶部２１に複製したものであってもよい。
【００３９】
記憶部２１には、制御部２０の処理によって収集される監視対象となる蓄電システム１０１のパワーコンディショナＰ及び蓄電モジュール群Ｌの測定データが記憶される。測定データは、蓄電システム１０１又はパワーコンディショナＰを識別する識別情報（番号）と対応付けられている。蓄電モジュール群Ｌの測定データは、ドメイン、バンク、モジュール、又はセルと階層構造に応じて記憶される。
【００４０】
記憶部２１には、監視対象の蓄電モジュール群Ｌ又は装置Ｐ，Ｕ，Ｄの状態を表示するための画像が複数記憶されている。複数の画像は、監視対象の蓄電モジュール群Ｌ又は装置Ｐ，Ｕ，Ｄを識別する識別情報と対応付けて記憶部２１に記憶されている。複数の画像には、蓄電モジュール群Ｌ又は装置Ｐ，Ｕ，Ｄを表す画像が含まれる。複数の画像には、蓄電モジュール群Ｌ又は装置Ｐ，Ｕ，Ｄの配置を示す画像が含まれる。これらの画像は、航空写真、衛星写真等の写真、２Ｄ地図、設計図、ＣＡＤ図面、又はイラストである。これらの画像は、クライアント装置３からのアップロードにより記憶されてよい。写真、地図、設計図、図面又はイラストの内、監視対象の蓄電モジュール群Ｌ又は装置Ｐ，Ｕ，Ｄの位置又は範囲が各画像について記憶されている。位置又は範囲を示す情報は例えば、画像に対応する座標情報である。画像が航空写真、衛星写真又は地図である場合には緯度経度情報及び相対位置を示す情報であってもよい。記憶部２１に記憶されている複数の画像には、蓄電モジュール群Ｌ又は装置Ｐ，Ｕ，Ｄの状態を表現するためのイラスト、アイコン、アニメーション等の画像が含まれる。記憶部２１には状態を表示するための画像の他、Ｗｅｂベースで蓄電システム１０１、装置Ｐ，Ｕ，Ｄの状態を視覚的に出力するためのスタイルシート、スクリプト等のデザインデータが記憶されている。
【００４１】
通信部２２は、ネットワークＮを介した通信接続及び情報の送受信を実現する通信デバイスである。具体的には通信部２２はネットワークＮに対応したネットワークカードである。
【００４２】
クライアント装置３は、発電システムＳ，Ｆ，Ｗの蓄電システム１０１の管理者又は保守担当者等のオペレータが使用するコンピュータである。クライアント装置３は、デスクトップ型若しくはラップトップ型のパーソナルコンピュータであってもよいし、所謂スマートフォン又はタブレット型の通信端末であってもよい。クライアント装置３は、制御部３０、記憶部３１、通信部３２、表示部３３、及び操作部３４を備える。
【００４３】
制御部３０は、ＣＰＵを用いたプロセッサである。制御部３０は、記憶部３１に記憶されているクライアントプログラム３Ｐに基づき、サーバ装置２により提供されるＷｅｂページを表示部３３に表示させる。クライアントプログラム３Ｐは、サーバ装置２のＷｅｂサーバ機能により提供されるＷｅｂページに組み込まれており、クライアント装置３で一時的に記憶されるスプリクトとＷｅｂブラウザプログラムとを含み、サーバ装置２における動作に基づいたＷｅｂベースの画面を表示させるためのプログラムである。
【００４４】
記憶部３１は、例えばハードディスク又はフラッシュメモリ等の不揮発性メモリを用いる。記憶部３１には、クライアントプログラム３Ｐを含む各種プログラムが記憶されている。クライアントプログラム３Ｐは、記録媒体６に記憶してあるクライアントプログラム６Ｐを読み出して記憶部１１に複製したものであってもよい。
【００４５】
通信部３２は、有線通信用のネットワークカード等の通信デバイス、基地局ＢＳ（図１参照）に接続する移動通信用の無線通信デバイス、又はアクセスポイントＡＰへの接続に対応する無線通信デバイスを用いる。制御部３０は通信部３２により、ネットワークＮを介してサーバ装置２との間で通信接続又は情報の送受信が可能である。
【００４６】
表示部３３は、液晶ディスプレイ、有機ＥＬ（Electro Luminescence）ディスプレイ等のディスプレイを用いる。表示部３３は制御部３０のクライアントプログラム３Ｐに基づく処理により、サーバ装置２で提供されるＷｅｂページのイメージを表示する。表示部３３は、好ましくはタッチパネル内蔵型ディスプレイであるが、タッチパネル非内蔵型ディスプレイであってもよい。
【００４７】
操作部３４は、制御部３０との間で入出力が可能なキーボード及びポインティングデバイス、若しくは音声入力部等のユーザインタフェースである。操作部３４は、表示部３３のタッチパネル、又は筐体に設けられた物理ボタンを用いてもよい。操作部３４は、ユーザによる操作情報を制御部３０へ通知する。
【００４８】
このように構成される遠隔監視システム１００では、サーバ装置２が、データ処理プログラム２２Ｐに基づいてパワーコンディショナＰ、蓄電モジュール群Ｌ（管理装置Ｍ）、無停電電源装置Ｕ、及び整流器Ｄの状態を含む様々な情報を通信デバイス１から定期的に取得し、記憶部２１に記憶する。通信デバイス１からは、階層構造に応じた親子関係が紐付けられて各蓄電モジュール群Ｌについての状態情報が送信される。サーバ装置２は、通信デバイス１を用いて蓄電素子若しくは各電源関連装置から取得した情報に基づいて、監視対象のシステム又は装置の状態を、蓄電セルの階層構造に応じて視覚的に表す画面情報を作成し、クライアント装置３へ送信して提示する。
【００４９】
図４は、サーバ装置２における情報提示の処理手順の一例を示すフローチャートである。サーバ装置２は、通信デバイス１から定期的に取得して記憶部２１に記憶してあるパワーコンディショナＰ、蓄電モジュール群Ｌ（管理装置Ｍ）、無停電電源装置Ｕ、及び整流器Ｄの情報を用いて、以下の処理をクライアント装置３からの要求に応じて、又は、イベントとして実行する。イベントとは、周期の到来であってもよいし、異常発生等のシステム又は装置の状態変化の検知であってもよい。
【００５０】
制御部２０は、監視対象であるシステム又は装置を識別する識別情報を１つ選択する（ステップＳ１０１）。
【００５１】
制御部２０は、選択された識別情報により識別されるシステム又は装置が蓄電セルを含むか否かを判断する（ステップＳ１０２）。蓄電セルを含むと判断された場合（Ｓ１０２：ＹＥＳ）、選択された識別情報により識別されるシステム又は装置は、階層構造の蓄電セルを含むか否かを判断する（ステップＳ１０３）。
【００５２】
ステップＳ１０３にて階層構造の蓄電セルを含むと判断された場合（Ｓ１０３：ＹＥＳ）、制御部２０は、階層毎の充電状態（ＳＯＣ）を導出する（ステップＳ１０４）。ステップＳ１０４で階層とは、図２に示すような構造の蓄電システム１０１であれば例えばドメイン、バンク、モジュールである。
【００５３】
制御部２０は、階層毎に導出したＳＯＣを、選択中のシステム又は装置の識別情報、階層構造の蓄電モジュール群Ｌ夫々を識別する名称（識別番号）に対応付けて、上位層の蓄電モジュール群Ｌの識別情報と共に一時的に記憶する（ステップＳ１０５）。
【００５４】
ステップＳ１０３にて階層状に含まないと判断された場合（Ｓ１０３：ＮＯ）、制御部２０は、選択された識別情報により識別されるシステム又は装置が含む蓄電セル全体としてのＳＯＣを導出し（ステップＳ１０６）、選択中のシステム又は装置の識別情報と対応付けて一時的に記憶する（ステップＳ１０７）。
【００５５】
次に制御部２０は、選択された識別情報により識別されるシステム又は装置の異常の有無を判定し（ステップＳ１０８）、選択中のシステム又は装置の識別情報と対応付けて、判定された結果を一時的に記憶する（ステップＳ１０９）。
【００５６】
ステップＳ１０２において蓄電セルを含まないと判断された場合（Ｓ１０２：ＮＯ）、制御部２０は、処理をステップＳ１０８へ進める。
【００５７】
制御部２０は、監視対象であるシステム又は装置を識別する識別情報を全て選択したか否かを判断する（ステップＳ１１０）。全て判断したと判断された場合（Ｓ１１０：ＹＥＳ）、制御部２０は一回の処理を終了する。ステップＳ１１０にて全てを選択していないと判断された場合（Ｓ１１０：ＮＯ）、制御部２０は、処理をステップＳ１０１へ戻し、次のシステム又は装置の識別情報を選択する。
【００５８】
図４のフローチャートに示した処理により、クライアント装置３からの要求があったタイミング、又はイベント発生（状態変化等）のタイミングにおける状態が一時的に記憶部２１又は制御部２０内蔵の一時記憶部に記憶される。クライアント装置３からの要求があったタイミング、又はイベント発生（状態変化等）のタイミングの都度、記憶される状態の情報は更新される。
【００５９】
図５及び図６は、サーバ装置２からクライアント装置３への情報提示の処理手順の一例を示すフローチャートである。クライアント装置３にてＷｅｂブラウザからログイン要求を受けると、以下の処理が開始される。
【００６０】
制御部２０は、Ｗｅｂサーバとしてクライアント装置３にてログインデータを受け付けるためのログインページのデータをクライアント装置３へ送信する（ステップＳ２０１）。クライアント装置３の表示部３３に表示されたログイン画面にて操作部３４での操作に基づき、制御部２０はログインデータを受信する（ステップＳ２０２）。ログインデータは、クライアント装置３を使用する管理者又はオペレータを識別するＩＤ及びパスワードを含む。ログインデータは、パスワードに代わる生体情報等を含んでもよい。
【００６１】
制御部２０は、受信したログインデータに基づき、該ログインデータに対応付けて記憶されているアクセス権限を有するシステム又は装置の識別情報を抽出する（ステップＳ２０３）。制御部２０は、抽出された識別情報に対応するシステム又は装置夫々の異常の有無の記憶を参照する（ステップＳ２０４）。ステップＳ２０４で制御部２０は、図４のフローチャートにより適宜更新された異常の有無の情報を参照する。制御部２０は、ステップＳ２０３で抽出された識別情報に対応するシステム又は装置夫々の情報を表示するための他のＷｅｂページへのリンク情報の一覧に、ステップＳ２０４で参照した異常の有無を示すアイコンを付したＷｅｂページの情報を、クライアント装置３へ送信する（ステップＳ２０５）。ログイン情報に対応付けられているアクセス権限を有するシステム又は単体装置が単一である場合、ステップＳ２０５では、その単一のシステム又は単体装置の情報を表示するためのＷｅｂページのデータがクライアント装置３へ送信される（後述のＳ２０７）。
【００６２】
クライアント装置３は、通信部３２により、アクセス権限を有するシステム又は装置の一覧のＷｅｂページのデータを受信し（ステップＳ３０１）、一覧のＷｅｂページを表示部３３に表示する（ステップＳ３０２）。制御部３０は、受信したデータに基づき表示したリンク情報の一覧から、所望のシステム又は装置の選択を受け付け（ステップＳ３０３）、選択されたリンク情報が示すＷｅｂページのデータの要求をサーバ装置２へ送信する（ステップＳ３０４）。
【００６３】
サーバ装置２の制御部２０は、対象のシステム又は装置のＷｅｂページのデータ要求を受信し（ステップＳ２０６）、選択されたシステム又は装置の情報を表示するためのＷｅｂページのデータをクライアント装置３へ送信する（ステップＳ２０７）。ステップＳ２０７で送信されるＷｅｂページのデータには、選択されたシステム又は装置を表す画像、配置を示す画像、画像内におけるシステム又は装置の位置を示す座標データ、状態を表現するためのイラスト、アイコン、アニメーション等のグラフィックデータが含まれる。
【００６４】
クライアント装置３の制御部３０は、Ｗｅｂページのデータを受信し（ステップＳ３０５）、受信したデータに含まれるスクリプトに基づいて、選択されたシステム又は装置の状態取得をサーバ装置２へ要求する（ステップＳ３０６）。
【００６５】
サーバ装置２の制御部２０は、状態取得の要求を受信し（ステップＳ２０８）、対象のシステム又は装置の最上位層、即ち全体としての状態と、異常の有無とを判定する（ステップＳ２０９）。制御部２０は、システム又は装置の全体としての状態を、システム又は装置に対応付けて記憶されている健全範囲を参照して判定する。例えば制御部２０は、システム又は装置を構成する蓄電素子のＳＯＣの平均を算出し、健全範囲として記憶されているＳＯＣの範囲内に含まれている場合に、状態を健全であると判定する。この場合、制御部２０はＳＯＣの平均値を、ＳＯＣの総計を稼働中の蓄電素子のモジュール又はセルの数で除算して求める。制御部２０は、システム又は装置を構成する蓄電素子の内、稼働しているセル又はモジュール又はバンク又はドメインの数が予め記憶されている健全範囲内であるか否かによって状態を判定してもよい。制御部２０は、システム又は装置を構成する蓄電素子からの充放電電流、又は温度の平均が予め記憶されている健全範囲内であるか否かによって状態を判定してもよい。
【００６６】
制御部２０は、階層毎に状態が記憶されている場合、制御部２０は最上位層の状態を参照する。制御部２０は、選択されたシステム又は装置に対してステップＳ２０９で判定された状態、及び異常の有無を示すデータをクライアント装置３へ送信する（ステップＳ２１０）。
【００６７】
クライアント装置３の制御部３０は、対象のシステム又は装置の状態、及び異常の有無を示すデータを受信する（ステップＳ３０７）。制御部３０は、受信したデータが示す状態、又は異常の有無に応じたグラフィックデータを、受信したデータから選択し（ステップＳ３０８）、選択したグラフィックデータ等を用いて、対象のシステム又は装置を表す画像を含むＷｅｂページを表示部３３に表示させる（ステップＳ３０９）。
【００６８】
クライアント装置３の制御部３０は、対象のシステム又は装置に含まれる階層構造の蓄電モジュール群Ｌについて、他の階層が選択されたか否かを判断する（ステップＳ３１０）。ステップＳ３１０で選択されたと判断された場合（Ｓ３１０：ＹＥＳ）、選択された階層の蓄電モジュール群Ｌの状態取得をサーバ装置２へ要求する（ステップＳ３１１）。
【００６９】
サーバ装置２の制御部２０は、状態取得の要求を受信し（ステップＳ２１１）、対象の階層の蓄電モジュール群Ｌの状態と、異常の有無とを判定する（ステップＳ２１２）。制御部２０は、選択された階層の蓄電モジュール群Ｌについて判定された状態、及び異常の有無を示すデータをクライアント装置３へ送信する（ステップＳ２１３）。
【００７０】
クライアント装置３の制御部３０は、選択された階層の状態、及び異常の有無を示すデータを受信する（ステップＳ３１２）。制御部３０は、受信したデータが示す状態、又は異常の有無に応じたグラフィックデータを、受信したデータから選択し（ステップＳ３１３）、選択したグラフィックデータ等を用いて、対象の階層の状態を表す画像を含むＷｅｂページを表示部３３に表示させる（ステップＳ３１４）。
【００７１】
クライアント装置３の制御部３０は、対象のシステム又は装置のＷｅｂページの表示の終了操作を受け付けたか否かを判断し（ステップＳ３１５）、受け付けていないと判断された場合（Ｓ３１５：ＮＯ）、ステップＳ３１０へ処理を戻す。ステップＳ３１５の終了操作を受け付けたか否かは、Ｗｅｂブラウザが終了されたか、ログアウトが選択されたか、又はアクセス権限を有するシステム又は装置単体の一覧のＷｅｂページへの遷移が選択されたかで判断される。
ステップＳ３１５で終了操作を受け付けたと判断された場合（Ｓ３１５：ＹＥＳ）、情報提示の処理は終了する。
【００７２】
図６のフローチャートを参照した説明では、クライアント装置３の制御部３０が、受信したＷｅｂページのデータに含まれるスクリプトに基づき、操作部３４にて選択操作を受け付けた場合に、選択されたシステム又は装置の状態取得を要求した（Ｓ３０６）。それに応じてサーバ装置が、データ処理プログラム２２によりデータを取得し、データをクライアント装置に送信している（Ｓ２１０）。つまり、クライアント装置３のオペレータの操作に応じて画面が遷移した。
代替的に、少なくとも最上位の階層、即ち全体としての状態を表示するＷｅｂページには、サーバ装置２から送信されるデータのスクリプトに、自動更新用のスクリプトが含まれるとよい。これにより、図３に示すサーバ装置２が、定期的に記憶部２１のデータを参照して、所定の周期で、参照されたデータに基づくＷｅｂページをクライアント装置３に送信してもよい。図７に示すように、サーバプログラム２１Ｐに含まれるＷｅｂサーバプログラム及びデザインデータと、クライアントプログラム３Ｐに含まれるＷｅｂブラウザプログラムとの協働に基づく機能（以下、「自動モニタ」という）２Ｐによって、状態表示の自動更新を実現してもよい。自動モニタ２Ｐは、例えば１０秒間隔又は１５秒間隔で、ｈｔｔｐｓ通信によりクライアント装置３へのデータの送信を実現してもよい。
【００７３】
サーバ装置２から送信されるＷｅｂページに基づく画面表示の処理手順を、図８〜図１１に示す画面例を参照して説明する。図８は、図５のステップＳ３０２における権限があるシステム又は装置の名称の一覧を含むＷｅｂ画面３３０（クライアント装置３の表示部３３に表示される画面）を示す。図８の例であれば、図１に示したメガソーラー発電システムＳの名称「ＸＹ市メガソーラーシステム」、風力発電システムＷの名称「ＷＺ発電所システム」、「Ｋ鉄道システム」、「Ｘ工場システム」等が夫々、識別情報と共にリンクとして表示されている。名称は「ＸＹ市メガソーラーシステム」のように、蓄電モジュール群Ｌ及び／又は装置Ｐ，Ｕ，Ｄが設置されている場所を表してもよい。一覧のＷｅｂ画面３３０には、各システムについて、異常の有無を示すアイコンが含まれていてもよい。
【００７４】
次に、システム又は装置が選択された場合の画面例について説明する。図９には、選択されたシステム又は装置の全体の状態を示す状態画面３３１が示されている。図９における状態画面３３１は、図８に示した一覧の内の「ＷＺ発電所システム」がクライアント装置３の操作部３４の操作により選択された場合に表示され、多数の蓄電モジュール群をそれらの配置状態で示す、レイアウト画像Ｋ（ＣＡＤ図のような線図、又は写真）を含む。図９は、後述する画面遷移（階層構造）における、最上位層を示す。図９の例では、８つの蓄電室全体のレイアウト画像Ｋが示されている。図９のレイアウト画像Ｋは、ドメインを構成するバンクを３つ格納する蓄電池盤を、一つの小矩形で示している。状態画面３３１には、レイアウト画像Ｋと共に「ＷＺ発電所システム」の状態を視覚的に表すグラフィックオブジェクト３３２，３３３，３３５が含まれている。
【００７５】
グラフィックオブジェクト３３２は、システムのレイアウト画像Ｋに重畳されている、当該蓄電素子の状態を示す、グラフィックである。グラフィックオブジェクト３３２が重畳されているシステム全体の状態に応じて、グラフィックオブジェクト３３２の色や表示形態を異ならせてもよい。グラフィックオブジェクト３３２は、システム全体に重畳されてもよいし、小矩形で示すレイアウト画像Ｋにおける最小単位毎に重畳されてもよいし、最小単位を複数含む蓄電室やブロックに重畳されてもよい。
【００７６】
状態画面３３１には、切替インタフェース３３４が含まれている。切替インタフェース３３４は、図９に示す例では、「Ｖ（電圧）」、「Ｉ（電流）」、「Ｔ（温度）」の３種類について夫々選択可能なボタン又はアイコンを含む。「Ｖ（電圧）」はセル電圧を意味してもよく、「Ｉ（電流）」はバンクに流れる電流を示してもよい。「Ｔ（温度）」は、モジュール温度を示してもよい。グラフィックオブジェクト３３２は、切替インタフェース３３４によって選択された測定値について、異常状態の有無、異常状態の度合いを表示してもよい。切替インタフェース３３４の操作により、同一のレイアウト画像Ｋを用いながら、異なる対象（Ｖ，Ｉ，Ｔ）についての状態が表示される。
【００７７】
このような情報提示により、膨大な数のモジュールを含む大規模ＥＳＳについて、レイアウト画像Ｋとグラフィックオブジェクト３３２により全体の状況を把握させることができる。後述するように、蓄電システム１０１全体に係るグラフィックオブジェクト３３２により、蓄電システム１０１のいずれかの蓄電室のモジュールに異常があったとしても、最上層では、そのモジュールに対応するグラフィック個々で状態を示していない。図９の例では、蓄電システム１０１全体として、システムに要求されている容量を満たす健全な状態にあるか否かが示される。
【００７８】
グラフィックオブジェクト３３２の表示位置は、レイアウト画像Ｋに対する相対位置によって画像Ｋと対応付けて状態画面３３１のデザインデータに含まれ、記憶部２１に記憶されている。これによりグラフィックオブジェクト３３２は、画像Ｋの拡縮に応じて適切に移動するようにしてある。状態画面３３１には、画像Ｋについて、ＣＡＤ図（第一画像）と写真（第二画像）とを切り替える切替インタフェースが含まれていてもよい。
【００７９】
グラフィックオブジェクト３３３は、蓄電モジュール群のＳＯＣを示す第二グラフィックである。第二グラフィック３３３は、複数のモジュール又は複数のバンク又は複数のドメインを、一つの評価単位として、その評価単位のＳＯＣ（複数のモジュールやバンクの総合的なＳＯＣ）を示してもよい。評価単位のＳＯＣ値に応じて、第二グラフィック３３３の色や表示形態を異ならせてもよい。ＳＯＣ値は例えば、複数のモジュールが接続されたバンク単位で算出されるＳＯＣ値を基に算出される。バンクを複数含むグループのＳＯＣ値は、グループ内のバンク毎のＳＯＣ値の総計を、グループに含まれるバンクの数で除算した平均値である。グループに含まれるバンクの数は、稼働中か否かに拘わらず存在するバンクの数であってもよいし、稼働していないバンクは除外したバンクの数であってもよい。
グループのＳＯＣ値＝Σ（バンクＳＯＣ値）÷設置バンク数、又は、
グループのＳＯＣ値＝Σ（バンクＳＯＣ値）÷稼働中バンク数。
グループを複数含むユニット、ユニットを複数含む蓄電室、蓄電室を複数含むブロック夫々の階層におけるＳＯＣ値も、同様の平均値が用いられる。
【００８０】
グラフィックオブジェクト３３５は、蓄電モジュール群を含むシステムの健康状態を示す第三グラフィックである。第三グラフィック３３５は、図９に示すように、左側が古いデータ、右側が最新データを示すトレンドグラフであってもよい。システム全体が正常の際は、ＳＯＣの推移をグラフ描画してもよい。第三グラフィック３３５は、稼働中のユニットの数、モジュールの数を示すテキストを含んでもよい。第三グラフィック３３５は、システム全体の蓄電容量（放電容量）を示すイメージ又はテキストを含んでもよい。
【００８１】
図９に示す状態画面３３１の画面情報には、レイアウト画像Ｋにおけるモジュール又はバンク又はドメイン（すなわち、レイアウト画像Ｋにおける選択対象。ＳＯＣの評価単位と同じでもよい）や、グラフィックオブジェクト３３２，３３３が選択された場合に、下位の階層の状態の表示へ遷移するスクリプトが含まれている。
【００８２】
状態画面３３１には、蓄電システム１０１の階層を選択する階層メニュー３３６が含まれていてもよい。階層メニュー３３６は、最上位層に対応する「全体」、蓄電システム１０１全体を構成する８つの蓄電室の層に対応する「蓄電室」、蓄電室を構成するユニット夫々に対応する「ユニット」、ユニットを構成する複数のバンクに対応する「蓄電池盤」の階層を示す。階層メニュー３３６の「全体」「蓄電室」「ユニット」及び「蓄電池盤」のいずれが選択されるかに応じて、表示される階層が変更されてもよい。階層メニュー３３６は、パンくずリストとして使用されてもよい。
【００８３】
状態画面３３１には、蓄電システム１０１の状態表示の態様を選択する表示メニュー３３７が含まれている。表示メニュー３３７は、図９に示したレイアウト画像Ｋを使用した状況表示のための「マップ」、表を使用した異常等の状況表示のための「一覧」、及び、グラフを使用した状況表示のための「グラフ」の選択タブを含む。「一覧」が選択された場合、自動モニタ２ＰはＷｅｂブラウザ上で後述の図１４の画面を表示部３３に表示させる。「グラフ」が選択された場合、自動モニタ２ＰはＷｅｂブラウザ上で後述の図１５の画面を表示部３３に表示させる。
【００８４】
図１０は、他の階層（中間層）の状態表示に遷移した状態画面３３１の一例を示す図である。図１０は、図９に示したレイアウト画像Ｋの上で、いずれかの蓄電室に対応する部分（例えば、Ａブロックの左から３番目の蓄電室に対応する部分）が選択された場合に自動モニタ２ＰによってＷｅｂブラウザ上に表示される。図１０では、画面の左側に、遷移前の上位層の全体のレイアウト画像Ｋを縮小したものを表示し、右側に、選択された蓄電室のレイアウト画像Ｋを表示している。図１０の遷移後の状態画面３３１では、選択された蓄電室が、上位層における全体マップ上でいずれの箇所に位置するかが、蓄電室に付与されている名称と、縮小された上位層のレイアウト画像Ｋ上での強調とで示されている。図１０の例では、選択された蓄電室の位置が、上位層のレイアウト画像Ｋ上の矩形オブジェクトで強調されている。代替的に、上位層のレイアウト画像Ｋ上で対応する箇所の色を変更したり、オブジェクトを重畳したりして、上位層における位置が示されてもよい。
【００８５】
図１０の例において遷移後の状態画面３３１には、蓄電室に含まれるユニット単位で蓄電モジュール群Ｌを示すレイアウト画像Ｋを示している。図１０において最小単位に対応する小矩形は、バンクを３つ格納する蓄電池盤に対応する。図１０に示す階層以下においては、異常状態にあるモジュール群Ｌについて、その異常度合いに応じて、第一グラフィック３３２の色や表示形態を異ならせてもよい。第一グラフィック３３２は、一つの小矩形に重畳されてもよいし、複数の小矩形（例えば、一つのユニット）に重畳されてもよいし、複数のバンク（例えば、一つのドメイン）に重畳されてもよい。図１０に示す画面遷移後の状態画面３３１では、遷移前の状態画面（図９）より、細かい評価単位のＳＯＣが第二グラフィック３３３により表示されてもよい。すなわち、第一グラフィック３３２及び第二グラフィック３３３により状態を示す蓄電素子の範囲が、一の状態画面と他の状態画面とで異なってもよい。
【００８６】
このような情報提示により、膨大な数のモジュールを含む大規模ＥＳＳについて、レイアウト画像Ｋとグラフィックオブジェクト３３２により、いずれの場所でどのような処置がどの程度の至急度で必要かを、オペレータに判断させることができる。クライアント装置３の表示部３４が大画面であって、複数人のオペレータで同時に状況を確認し意思決定を行うような用途に、好適である。
【００８７】
図１１は、更に他の階層の状態画面３３１の一例を示す図である。図１１は、図１０に示した蓄電室のレイアウト画像Ｋの上で、いずれかのユニットに対応する部分が選択された場合に自動モニタ２ＰによってＷｅｂブラウザ上に表示される。図１１におけるレイアウト画像Ｋは、左側に示す上位層の蓄電室のレイアウト画像Ｋの中から選択されたユニットのレイアウトを示す。ユニットのレイアウト画像Ｋは、選択されたユニットに含まれる複数のバンクが収容された蓄電池盤夫々を小矩形で表示している。異常状態にあるバンクを含む蓄電池盤について、その異常度合いに応じて、小矩形に重畳される第一グラフィック３３２の色や表示形態を異ならせてもよい。
【００８８】
図１２は、更に他の階層の状態画面３３１の一例を示す図である。図１２は、図１１に示したユニットのレイアウト画像Ｋの上で、いずれかの蓄電池盤に対応する部分が選択された場合に自動モニタ２ＰによってＷｅｂブラウザ上に表示される。図１２におけるレイアウト画像Ｋは、左側に示す上位層のユニットのレイアウト画像Ｋの中から選択された蓄電池盤に含まれるバンク及びバンクを構成するモジュールのレイアウトを示す。蓄電池盤のレイアウト画像Ｋは、選択された蓄電池盤に含まれる複数のバンク内のモジュール夫々を小矩形で表示している。異常状態にあるモジュールについて、その異常度合いに応じて、小矩形に重畳される第一グラフィック３３２の色や表示形態を異ならせてもよい。
【００８９】
図１３は、更に他の階層の状態画面３３１の一例を示す図である。図１３は、図１２に示したバンク及びモジュールのレイアウト画像Ｋの上で、いずれかのモジュールに対応する部分が選択された場合に自動モニタ２ＰによってＷｅｂブラウザ上に表示される。図１３におけるレイアウト画像Ｋは、左側に示す上位層のバンク及びモジュールのレイアウト画像Ｋの中から選択されたモジュールに含まれるセルのレイアウトを示す。セルのレイアウト画像Ｋは、選択されたモジュールに含まれる複数セルの夫々の状態を表示している。異常状態にあるセルについて、その異常度合いに応じて、第一グラフィック３３２の色や表示形態を異ならせてもよい。
【００９０】
図１３に示す状態画面３３１は、蓄電システム１０１の構成の最下層に対応するセルの状態を示しているから、各セルの状態を「正常」又は「異常」とテキストで表示し、セル電圧や温度をテキストで表示してよい。上述の説明では、蓄電システム１０１の構成の内、表示の最小単位は「モジュール」の各セルであるが、これに限らない。他の例では、表示の最小単位は「蓄電池盤」の各モジュールであってもよい。この場合、図１２に示した画面内で、バンク毎に、第二グラフィック３３３でＳＯＣを示すと共に、バンクにおけるセル電圧の平均値、温度、電流値をテキストで表示してよい。
【００９１】
図９に示した状態画面３３１から図１０、図１１、図１２及び図１３の状態画面３３１への遷移は、いずれもアニメーションのように、上位層のレイアウト画像Ｋが縮小されつつ、階層のレイアウト画像Ｋが出現するように表示されてよい。
【００９２】
図１４は、状態画面３３１の表示メニュー３３７にて、「一覧」が選択された場合の一例を示す図である。図１４の状態画面３３１は、蓄電システム１０１に含まれるドメイン、バンク、モジュール、又はセル単位でテキストによって、正常を含む状態の一覧を表示する。図１４に示す例では、異常が検知されたドメイン、バンク、モジュール又はセルの状態のみが表示されている。図１４に示すように、状態の表示対象のドメイン、バンク、モジュール又はセルが所属するユニット、蓄電室、又はブロックによって表示対象を絞ることが可能であってよい。
【００９３】
図１５は、状態画面３３１の表示メニュー３３７にて、「グラフ」が選択された場合の一例を示す図である。図１５の状態画面３３１は、蓄電システム１０１に含まれるドメイン、バンク、又はモジュール単位でグラフによって、蓄電システム１０１の状態の時間変化を表示する。図１５の例では、選択されたバンクにおける一日の時間当たりの放電電力量及び充電電力量の時間分布のグラフが表示されている。充放電電力量以外に、ＳＯＣ、電流、セル電圧、又はモジュール温度が選択された場合には、自動モニタ２Ｐは、秒、日、月又は年の時間単位におけるＳＯＣ、電流、セル電圧、又はモジュール温度の時間変化を、折れ線グラフによって逐次更新しながら表示する。これにより、クライアント装置３は、蓄電システム１０１全体で要求されている性能を発揮しているかをマップ表示にてオブジェクトで示しつつ、ドメイン、バンク、モジュール単位で蓄電素子の状態を詳細に表示できる。
【００９４】
図１６は、状態画面３３１の一例を示す図である。図１６は、図１１のユニットの状態を示す状態画面３１１の他の一例を示す。図１６の状態画面３１１は、蓄電システム１０１を構成する各ユニットのＡ，Ｂの内、Ｂのドメインに含まれるモジュールを休止して運用している様子を示す。図１６の状態画面３１１は、図１１の状態画面３１１に比較した場合、レイアウト画像Ｋに示されるユニットのドメインＢ全体に、第一グラフィック３２２が重畳されている点が異なる。第一グラフィック３２２は、停止中であることに対応する色や表示形態である。図１６の状態画面３１１は、ユニットのドメインＢが停止中であることを示すテキストを含む。自動モニタ２Ｐは、テキストによって、停止中であるが正常に運用されていることを、サーバ装置２にて検出できていることを示してもよい。
【００９５】
図１６の状態画面３３１では、蓄電室に配置されている１６のユニットのドメインＢがいずれも停止していることが第一グラフィック３２２によって示されているが、異常ではなく停止されている。この場合に全体の状態を表示する場合、自動モニタ２Ｐは、図９に示すように全体としては異常なく稼働していることを状態画面３１１で示す。第一グラフィック３２２は、一部が停止中であることに対応する色や表示形態ではなく、正常であることに対応する色や表示形態である。これにより、状態画面３１１は、蓄電システム１０１のいずれかのモジュールが停止中であったとしても、システムに要求されている容量を満たす健全な状態にあるか否かを示すことができる。
【００９６】
上述の実施形態は例示であって、制限的なものではない。本発明の範囲は、請求の範囲によって示され、請求の範囲と均等の意味および範囲内でのすべての変更が含まれることが意図される。
【符号の説明】
【００９７】
１  通信デバイス
１０  制御部
１１  記憶部
１２  第１通信部
１３  第２通信部
１Ｐ  デバイスプログラム
２  サーバ装置
２０  制御部
２２Ｐ  データ処理プログラム
２Ｐ  自動モニタ
３  クライアント装置
３３  表示部
【要約】
蓄電素子の状態を視覚的に容易に把握することを可能とする情報処理装置、情報処理システム、情報処理方法及びコンピュータプログラムを提供する。情報処理装置は、蓄電素子の状態を含む情報を所定時間間隔で通信により取得する取得部と、取得した情報を、前記蓄電素子を識別する情報と対応付けて記憶媒体に記憶する記憶処理部と、前記蓄電素子を含むシステムの画像と、前記蓄電素子の状態を示すグラフィックと、を含む状態画面の画面情報を通信端末装置に送信する送信処理部と、前記記憶媒体に記憶してある最新情報に基づいて前記グラフィックの情報を更新し定期的に前記通信端末装置に送信する自動モニタ部と、を備える。【図１】
0006822624.tif 000002
【図２】
0006822624.tif 000003
【図３】
0006822624.tif 000004
【図４】
0006822624.tif 000005
【図５】
0006822624.tif 000006
【図６】
0006822624.tif 000007
【図７】
0006822624.tif 000008
【図８】
0006822624.tif 000009
【図９】
0006822624.tif 000010
【図１０】
0006822624.tif 000011
【図１１】
0006822624.tif 000012
【図１２】
0006822624.tif 000013
【図１３】
0006822624.tif 000014
【図１４】
0006822624.tif 000015
【図１５】
0006822624.tif 000016
【図１６】
0006822624.tif 000017